(57)【要約】【課題】治療効果に優れる磁気治療具を提供する。【解決手段】身体に巻き掛けられるバンド２に、永久磁石５を収容した複数の磁石ケース３をスライド自在に取り付けた。【選択図】      図１
2004147859.tif 000002
【特許請求の範囲】
【請求項１】
身体に巻き掛けられるバンドと、前記バンドにスライド自在に取り付けられた複数の磁石ケースと、前記磁石ケース内に収められた永久磁石とを備えていることを特徴とする磁気治療具。
【請求項２】
前記磁石ケースが筒体からなり、その中心部に前記バンドを挿通しているとともに、その周方向に沿って前記永久磁石が複数配置されている請求項１に記載の磁気治療具。
【請求項３】
前記バンドは、両端に互いに係脱可能な一対の止め具を備え、身体の首部に巻き掛けられる請求項２に記載の磁気治療具。
【発明の詳細な説明】
【０００１】
【発明の属する技術分野】
本発明は、身体に装着して肩こりの治療等を行う磁気治療具に関する。
【０００２】
【従来の技術】
従来、肩こりを治療する磁気治療具として、身体の首部に装着可能な環状のバンドに永久磁石を取り付けたネックタイプのものが提供されている（例えば、特許文献１参照）。この磁気治療具は、前記永久磁石を複数個取り付けたものであり、身体の首部に装着した状態で永久磁石の磁気により血行を促進したり筋肉を弛緩させたりして、肩こりを治療することができる。
【０００３】
【特許文献１】
特開平９−２９００２８号公報（第４頁、第１図）
【０００４】
【発明が解決しようとする課題】
前記従来の磁気治療具は、永久磁石がバンドに移動不可能に固定されているため、こりのポイントに磁気を当てる際、バンドを首回りに回転させて永久磁石を当該ポイントに当てていた。しかし、永久磁石の配置間隔を調整することができないため、前記ポイントに永久磁石を任意に近づけることができず、磁気による治療効果を十分に得ることができない場合があった。
【０００５】
また、互いに係脱可能な一対の止め具を用いてバンドを環状にしたものについては、当該バンドを回転させると、止め具が身体正面側に配置されることがあり、この場合には、体裁が悪くなるため、バンドを回転させる範囲には制限があり、こりのポイントに永久磁石を任意に近づけることができず、磁気による治療効果を十分に得ることができない場合があった。
【０００６】
本発明は、上記の事情に鑑みてなされたものであり、永久磁石を任意箇所に移動させることが可能で治療効果に優れた磁気治療具を提供することを目的とする。
【０００７】
【課題を解決するための手段】
本発明に係る磁気治療具は、身体に巻き掛けられるバンドと、前記バンドにスライド自在に取り付けられた複数の磁石ケースと、前記磁石ケース内に収められた永久磁石とを備えている（請求項１）。
上記発明によれば、磁石ケースを任意箇所にスライドさせることで、永久磁石をこりのポイントに近づけることが可能となる。
【０００８】
また、本発明に係る磁気治療具は、前記磁石ケースが筒体からなり、その中心部に前記バンドを挿通しているとともに、その周方向に沿って前記永久磁石が複数配置されているのが好ましい（請求項２）。
これによると、筒体からなる磁石ケースをスライドさせた際に、当該磁石ケースがその中心回りに回転した場合においても、磁石ケースの周方向に沿って設けられたいずれかの永久磁石をこりのポイントに臨ませることができる。
【０００９】
更に、前記磁気治療具（請求項２）は、前記バンドが、両端に互いに係脱可能な一対の止め具を備え、身体の首部に巻き掛けられるものであってもよい（請求項３）。
この場合には、止め具を身体首部の背面側に配置した状態で、永久磁石をスライドさせてこりのポイントに近づけることができる。
【００１０】
【発明の実施の形態】
以下、図面を参照しつつ、本発明の実施形態を説明する。
図１はこの発明の一実施形態に係る磁気治療具１を示す斜視図である。この磁気治療具１は、身体の首部に巻き掛けられるバンド２と、前記バンド２にスライド自在に取り付けられた複数個の磁石ケース３と、前記磁石ケース３の内部に収められた複数の永久磁石５と、前記バンド２の両端に設けられたジョイント４とを備えている。
【００１１】
前記バンド２は、天然放射性稀有元素鉱物採用繊維からなる紐で構成されており、その直径は例えば５ｍｍ程度であり、可撓性を有している。
図２にも示すように、磁石ケース３は、円筒状の筒体３１からなり、その中心部に前記バンド２を挿通する貫通穴３４を有する。前記貫通穴３４の直径は、前記バンド２の直径より若干小さくなっており、前記バンドとの間で摩擦抵抗を与えることにより、前記磁石ケース３が前記バンド２上を意に反してスライドしないようにされている。
【００１２】
前記筒体３１の内部３３には、前記複数個の永久磁石５が周方向に沿って所定間隔毎に配置されているとともに、軸方向にも直列に配置されている。この実施の形態においては、前記バンド２を挟んで相対向する２箇所に各１個の永久磁石５が配置されており、これら２個の永久磁石５を１組として軸方向に２列配置されている。前記永久磁石５は、片面がＳ極を他面がＮ極を示す異方性のフェライト磁石からなるものである。
【００１３】
また、隣り合う永久磁石５どうしは、身体に添わせる面の極性が互いに逆極性になるように交互に逆向きに配置されており、一つの永久磁石５のＮ極から出た磁力線Ｊが、当該一つの永久磁石５のＳ極だけでなく、これに隣接された永久磁石５のＳ極にも到達するようになっている。このため、磁気を身体に対して深くかつ広範囲に浸透させることができるようになっている。
【００１４】
図３に示すように、前記ジョイント４は、互いに係脱可能な一対の雄止め具４１と雌止め具４３とを備えている。前記雄止め具４１は、その先端に玉状の突起４２を有しており、雌止め具４３は、その先端側に前記突起４２を回転自在に挟持する凹陥部４４を有している。前記雌止め具４３の先端側は、スリット４５によって弾性的に拡開可能に２分割されている。
前記バンド２の両端は、前記雄止め具４１の突起４２を雌止め具４３の凹陥部４４に押し込むことで接続され、反対に、雄止め具４１と雌止め具４３を互いに反対方向に引っ張るか、互いの突き合わせ面を起点として山折りもしくは谷折りすることで切離される。
また、接続された前記雄止め具４１と前記雌止め具４３は、突起４２を中心として互いにその周方向に回転自在である。これによって、接続される時に生じやすいバンド２のねじれを、接続させた状態のままで、容易に解消することができる。
【００１５】
図４に示すように、磁気治療具１は、身体の首部に巻き掛けた状態で、バンド２の両端に設けられた雄止め具４１と雌止め具４３とを嵌合させることにより、当該首部に装着される。そして、この状態で各磁石ケース３をスライドさせることにより、永久磁石５をこりのポイントに任意に近づけることが可能となる。この結果、当該ポイントに磁気を効果的に作用させて、血行を促進したり筋肉を弛緩させたりすることができ、その治療効果を高めることができる。しかも、前記磁石ケース３をスライドさせる際に、当該磁石ケース３がその周方向に回動したとしても、バンド２を挟んで対向して配置された永久磁石５の少なくとも一方の永久磁石５をこりのポイントに臨ませることができるので、その治療効果が低下するのを防止することができる。
【００１６】
更に、前記バンド２を首回りに回転させることなく永久磁石５をこりのポイント付近に近づけることができるので、ジョイント４を常に首部の背面側に配置しておくことができる。よって、ジョイント４が身体の正面側に配置されて体裁が悪くなるのを防ぐことができる。
【００１７】
なお、本発明は前記した実施形態に限定されるものではない。
例えば、バンド２については、前記ジョイント４を用いる代わりに、バンド２の両端を結ぶかクリップを用いることによって首部に装着するものであってもよく、磁石ケース３については、球形状、角柱形状、多角形状等であってもよく、バンド２については、前記可撓性を有する紐の他、可撓性を有しない合成樹脂製または金属製のものであってもよい。
さらに、この発明の磁気治療具は、前記した首部に巻き掛けるものの他、手首や足首等の種々の頸部に巻き掛けるものにも適用して実施することができる。
【００１８】
【発明の効果】
以上説明したように、請求項１記載の磁気治療具によれば、肩こり等の治療において、こりのポイントに永久磁石を任意に近づけることができるので、効果的に磁気を当てることができ、優れた治療効果を発揮することができる。
【００１９】
請求項２記載の磁気治療具によれば、筒体からなる磁石ケースをスライドさせた際に、当該磁石ケースがその中心回りに回転した場合においても、バンドの外周に配置されたいずれかの永久磁石をこりのポイントに臨ませることができるので、治療効果が低下するのを防止することができる。
請求項３記載の磁気治療具によれば、止め具を身体首部の背面側に配置した状態で、永久磁石をスライドさせてこりのポイントに近づけることができるので、止め具が身体の正面側に配置されることによって体裁が悪くなるのを防ぐことができる。
【図面の簡単な説明】
【図１】本発明の一実施形態に係る磁気治療具の斜視図である。
【図２】磁石ケースの欠截斜視図である。
【図３】止め具の斜視図である。
【図４】本発明の磁気治療具を首に装着した状態を示す斜視図である。
【符号の説明】
１      磁気治療具
２      バンド
３      磁石ケース
３１      筒体
３３      円筒内部
３４      貫通穴
４      ジョイント
４１      雄止め具
４２      突起
４３      雌止め具
５      永久磁石
【図１】
2004147859.tif 000003
【図２】
2004147859.tif 000004
【図３】
2004147859.tif 000005
【図４】
2004147859.tif 000006